(57)【要約】  ブレスレット型の時計は、ケースと、ケースに一体に形成されたリストバンドと、３つの隔離用要素とを備える。ケースおよびリストバンドに配置された隔離用要素は、時計と手首との間に隙間を画成する。この隙間は、時計と手首との間の領域の大部分に空気が自由に流入するのを許容する。それによって通気がなされ、時計と手首との間にたまる汗の量を減じる。
2005508683.tif 000002
【特許請求の範囲】
【請求項１】
時計であって、
時間を表示するための計時要素を含むケースと、
前記時計を着用者の手首に取り付けるためのブレスレット型リストバンドにして、前記ケースの両側から延びる第１の延長部分および第２の延長部分を有するリストバンドと、
を備え、
さらに、前記手首に隣接して前記リストバンド上に配置される第１の隔離用要素を少なくとも備え、
前記第１の隔離用要素は、前記リストバンドと前記手首との間に少なくとも一つの隔離空間を画成し、該隔離空間は、前記リストバンドと前記手首との間の領域の通気を可能にしている、
時計。
【請求項２】
前記リストバンドが前記ケースと一体に形成されている、請求項１に記載の時計。
【請求項３】
前記第１の隔離用要素が前記第１の延長部分に配置されており、前記第２の延長部分には第２の隔離用要素が配置されており、前記第１の隔離用要素は、前記第１の延長部分と前記手首との間に第１の隔離空間を画成し、前記第２の隔離用要素は、前記第２の延長部分と前記手首との間に第２の隔離空間を画成している、請求項１に記載の時計。
【請求項４】
前記第１の隔離用要素が、前記第１の延長部分の端部にして前記ケースとは反対側にある端部に隣接して配置されており、前記第２の隔離用要素が、前記第２の延長部分の端部にして前記ケースとは反対側にある端部に隣接して配置されており、前記第１の隔離用要素と前記第２の隔離用要素とが前記手首の下側部分に接触するようになされている、請求項３に記載の時計。
【請求項５】
前記第１の隔離用要素と前記第２の隔離用要素とが前記リストバンドとは別個に形成されている、請求項３に記載の時計。
【請求項６】
前記第１の隔離用要素と前記第２の隔離用要素とがシリコンで形成されている、請求項５に記載の時計。
【請求項７】
前記第１および第２の隔離用要素が前記リストバンドと一体に形成されている、請求項３に記載の時計。
【請求項８】
前記ケースに第３の隔離用要素が配置されており、該第３の隔離用要素が前記ケースと前記手首との間に第３の隔離空間を画成している、請求項３に記載の時計。
【請求項９】
前記第１の隔離空間と前記第２の隔離空間と前記第３の隔離空間とが、前記手首の周囲のほぼ全体にわたって延在している、請求項８に記載の時計。
【請求項１０】
前記第１、第２および第３の隔離用要素のうちの少なくとも一つが、前記手首と接触するように位置づけられたテクスチュア面を備えている、請求項８に記載の時計。
【請求項１１】
前記テクスチュア面が一連の刻み目を有している、請求項１０に記載の時計。
【請求項１２】
前記第３の隔離用要素が前記ケースと一体に形成されている、請求項８に記載の時計。
【請求項１３】
前記第１の隔離用要素と、前記第２の隔離用要素と、前記第３の隔離用要素とが、前記手首との間に３点接触を形成しており、該３点接触が、前記ケースおよび前記リストバンドが前記手首と実質的に接触するのを妨げている、請求項８に記載の時計。
【請求項１４】
時計にして、
時間を表示するための計時要素を含むケースと、
前記時計を着用者の手首に取り付けるための、前記ケースと一体に形成されているブレスレット型リストバンドにして、前記ケースの両側から延びる第１の延長部分および第２の延長部分を有するリストバンドと、
前記手首に隣接して前記第１の延長部分に配置される第１の隔離用要素、前記手首に隣接して前記第２の延長部分に配置される第２の隔離用要素、および前記手首に隣接して前記ケースに配置される第３の隔離用要素と、
を備え、
前記第１、第２および第３の隔離用要素は、前記時計と前記手首との間に少なくとも一つの隔離空間を画成し、該少なくとも一つの隔離空間は、前記時計と前記手首との間の領域の通気を可能にしている、
時計。
【請求項１５】
前記第１の隔離用要素が、前記第１の延長部分の端部にして前記ケースとは反対側にある端部に隣接して配置されており、前記第２の隔離用要素が、前記第２の延長部分の端部にして前記ケースとは反対側にある端部に隣接して配置されており、前記第１の隔離用要素と前記第２の隔離用要素とが前記手首の下側部分に接触するようになされている、請求項１４に記載の時計。
【請求項１６】
前記第１の隔離用要素と前記第２の隔離用要素とが前記リストバンドとは別個に形成されており、前記第３の隔離用要素が前記ケースと一体に形成されている、請求項１４に記載の時計。
【請求項１７】
前記第１の隔離用要素と前記第２の隔離用要素とがシリコンで形成されている、請求項１６に記載の時計。
【請求項１８】
前記第１および第２の隔離用要素が前記リストバンドと一体に形成されており、前記第３の隔離用要素が前記ケースと一体に形成されている、請求項１４に記載の時計。
【請求項１９】
前記少なくとも一つの隔離空間が、前記手首の周囲のほぼ全体にわたって延在している、請求項１４に記載の時計。
【請求項２０】
前記第１の隔離用要素と、前記第２の隔離用要素と、前記第３の隔離用要素とが、前記手首との間に３点接触を形成しており、該３点接触が、前記ケースおよび前記リストバンドが前記手首と実質的に接触するのを妨げている、請求項１４に記載の時計。
【請求項２１】
前記隔離用要素の少なくとも一つが、前記手首に接触するように位置づけられたテクスチュア面を備えている、請求項１５に記載の時計。
【請求項２２】
前記テクスチュア面が一連の刻み目を備えている、請求項２１に記載の時計。
【請求項２３】
時間を表示するための計時要素を含むケースと、
前記時計を着用者の手首に取り付けるための、前記ケースと一体に形成されているブレスレット型リストバンドにして、前記ケースの両側から延びる第１の延長部分および第２の延長部分を有するリストバンドと、
前記手首の下側部分に隣接して前記第１の延長部分に配置される第１の隔離用要素、前記手首の下側部分に隣接して前記第２の延長部分に配置される第２の隔離用要素、および前記手首の上側部分に隣接して前記ケースに配置される第３の隔離用要素と、
を備え、
前記第１、第２および第３の隔離用要素は、前記時計と前記手首との間に少なくとも一つの隔離空間を画成し、該少なくとも一つの隔離空間は、前記時計と前記手首との間の領域の通気を可能にしている、
時計。
【請求項２４】
前記第１の隔離用要素と前記第２の隔離用要素とが前記リストバンドとは別個に形成されており、前記第３の隔離用要素が前記ケースと一体に形成されている、請求項２３に記載の時計。
【請求項２５】
前記第１の隔離用要素と前記第２の隔離用要素とがシリコンで形成されている、請求項２４に記載の時計。
【請求項２６】
前記少なくとも一つの隔離空間が、前記手首の周囲のほぼ全体にわたって延在している、請求項２５に記載の時計。
【請求項２７】
前記第１の隔離用要素と、前記第２の隔離用要素と、前記第３の隔離用要素とが、前記手首との間に３点接触を形成しており、該３点接触が、前記ケースおよび前記リストバンドが前記手首と実質的に接触するのを妨げている、請求項２３に記載の時計。
【請求項２８】
前記隔離用要素の少なくとも一つが、前記手首に接触するように位置づけられたテクスチュア面を備えており、該テクスチュア面が一連の刻み目を備えている、請求項２３に記載の時計。
【請求項２９】
時計にして、
時間を表示するための計時要素を含むケースと、
該ケースと一体に形成されたリストバンドにして、前記ケースの両側から突出するように延びる一対の円弧状延長部分を有するリストバンドと、
を備え、
前記一対の延長部分が、着用者の手首の周囲の一部にわたって延びるとともに、それぞれの延長部分の端部間に隙間を画成するように形状づけられており、前記一対の延長部分の前記端部は前記ケースと対向する位置に配置されており、前記隙間の間隔は、前記リストバンドが延ばされていない形態のとき、５ｍｍないし６０ｍｍの範囲とされている、
時計。
【請求項３０】
前記隙間の間隔が１２ｍｍないし５０ｍｍの範囲とされている、請求項２９に記載の時計。
【請求項３１】
前記隙間の間隔が１２．５ｍｍないし１６．５ｍｍの範囲とされている、請求項２９に記載の時計。
【請求項３２】
前記ケースおよび前記リストバンドがポリマー材料で形成されている、請求項２９に記載の時計。
【請求項３３】
前記端部のそれぞれが、前記リストバンドと前記手首との間に隔離空間を画成する隔離用要素を備えており、前記隔離空間が前記リストバンドと前記手首との間の領域の通気を可能にしている、請求項２９に記載の時計。
【請求項３４】
前記隔離用要素がシリコンで形成されている、請求項３３に記載の時計。
【請求項３５】
前記隔離用要素が、前記手首に接触するように位置づけられたテクスチュア面を備えている、請求項３３に記載の時計。
【請求項３６】
前記端部および前記ケースのそれぞれが、前記リストバンドと前記手首との間に隔離空間を画成する隔離用要素を備えており、前記隔離空間が前記リストバンドと前記手首との間の領域の通気を可能にしている、請求項２９に記載の時計。
【請求項３７】
時計にして、
時間を表示するための計時要素を含むケースと、
該ケースの両側から突出するように延びる一対の円弧状延長部分を有するリストバンドと、
を備え、
前記一対の延長部分が、着用者の手首の周囲の少なくとも一部にわたって延びるように形状づけられており、前記リストバンドは、該リストバンドと着用者の手首との間に隔離空間を画成するよう形状づけられた第１の部分を少なくとも備えており、前記隔離空間は、該隔離空間に隣接する手首の領域を通気するようになされている、
時計。
【請求項３８】
前記延長部分が、前記ケースの両側に配置された端部を備えており、該端部が、前記延長部分間の隙間を画成している、請求項３７に記載の時計。
【請求項３９】
前記隙間の間隔は、前記リストバンドが延ばされていない形態のとき、５ｍｍないし６０ｍｍの範囲とされている、請求項３８に記載の時計。
【請求項４０】
前記隙間の間隔が１２ｍｍないし５０ｍｍの範囲とされている、請求項３８に記載の時計。
【請求項４１】
前記隙間の間隔が１２．５ｍｍないし１６．５ｍｍの範囲とされている、請求項３８に記載の時計。
【請求項４２】
前記第１の部分が、前記端部のうちの第１の端部に配置された第１の隔離用要素にして、前記第１の端部と前記手首との間に位置づけられた第１の隔離用要素である、請求項３８に記載の時計。
【請求項４３】
前記端部のうちの第２の端部に配置された第２の隔離用要素にして、前記第２の端部と前記手首との間に位置づけられた第２の隔離用要素を備える、請求項４２に記載の時計。
【発明の詳細な説明】
【技術分野】
【０００１】
本発明は手首に装着する時計に関する。さらに具体的に言えば、本発明は、時計と手首との間に空気が循環することが可能な形態を有する、手首に装着する時計に関する。
【背景技術】
【０００２】
従来の手首に装着する時計は、典型的には腕時計と呼ばれるが、様々な活動状況の中で、審美的にも機能的にもその目的にかなうようにデザインすることができる。たとえばドレスウォッチは、ファッショナブルな外観を呈するようにデザインされ、仕事や社交の場に適している。ダイバーウォッチは、深海に潜るダイバーが遭遇する高圧環境にも耐えうるように、特に耐久性があるように設計される。またスポーツウォッチは、軽量に作られ、運動選手が練習や競技会において装着する。
【０００３】
従来の腕時計の構成要素には、典型的には、計時要素部分、ケースおよびリストバンドが含まれる。計時要素部分は、ケース内に配置され、時間の経過を示したり、着用者または他の者のために時刻を表示する機能を有する。ケースは、計時要素部分を保護し、また、計時要素部分の時刻表示を見せるために透明な面を備えていることが多い。リストバンドは、ケースの両側から延び、ケースおよび計時要素部分を着用者の手首に取り付ける。
【０００４】
腕時計の多くは、計時要素部分、ケースおよびリストバンドを備えているけれども、近代的な腕時計のデザインにおいては、構成要素に多くの変形態様がある。たとえば、計時要素部分は、機械式のものも、電気式のものも、または機械式と電気式とを組み合わせたものもある。リストバンドは、腕時計を手首に取り付けるための留め金を有するものもあれば、長さ部分の一部が開いていて（欠けていて）ブレスレットのようにして手首にはめる形態のものもある。また、種々の構成要素を形成する材料には、ポリマーのようなプラスチックもあれば金属もある。
【０００５】
スポーツウォッチは、長時間汗にさらされる運動時に使用されることが多い。したがって、スポーツウォッチには、汗による悪影響に対抗する仕様のものがある。たとえば、腕時計と手首との間にたまる汗は着用者に不快感を与えるであろう。米国特許第５，８１２，５００号明細書（Ｗｅｂｂ，Ｊｒ．）は、汗を吸収するために布のようなリストバンドに取り外し可能に装着可能とされた腕時計を開示している。米国特許第２，１８４，０６０号明細書（Ｈ．Ｓｉｎｇｅｒ）は、手首の限られた部分とリストバンドとの間に空気が循環するのを許容するクッション部材を有するリストバンドを開示している。米国特許第２，３４２，８０４号明細書（Ａ．Ｗ．Ｈｉｌｌｅｒ）、同２，３２８，７８５号明細書（Ｗ．Ｔ．Ｃｏｚａｒｔ）、同５，６３８，３４２号明細書（Ｋａｒｔｓｏｔｉｓ他）も参照されたい。
【発明の開示】
【発明が解決しようとする課題】
【０００６】
本発明は、上述した汗の問題を解消することを課題とする。
【課題を解決するための手段】
【０００７】
本発明による時計は、ケースおよびリストバンドのほか、第１の隔離用要素を少なくとも備えている。ケースは、時間の経過を示したり時刻を表示したりするための計時要素を含んでいる。リストバンドは、ケースと一体に形成されているが、ブレスレット（腕輪）タイプのリストバンドであり、時計を着用者の手首に取り付ける役割をする。リストバンドは、ケースの両側からそれぞれ延びる第１の延長部分および第２の延長部分を含んでいる。第１の隔離用要素は、リストバンドに配置され且つ手首に隣接する。そして第１の隔離用要素は、リストバンドと手首との間に少なくとも一つの隔離空間を形成する。隔離空間は、リストバンドと手首との間の領域が通気されることを許容する。
【０００８】
第１の隔離用要素が第１の延長部分の一端に配置されるとすれば、この第１の隔離用要素に加え、時計は第２の延長部分の一端に配置された第２の隔離用要素を、そしてケースに配置された第３の隔離用要素を備える。これら３つの隔離用要素は一緒になって、手首に対する３点接触を形成する。この３点接触は、ケースおよびリストバンドが手首に実質的に、すなわちぴったりと接触するのを防止する。要するに、３つの隔離用要素は、時計と手首との間に隔離空間を形成し、この隔離空間は空気の流入を許すことにより通気を促進する。
【０００９】
隔離用要素は、手首に接触する滑らかな表面を有していてもよい。しかしながら、隔離用要素は、手首と隔離用要素との間に空気の循環を許容するテクスチュア面と呼ばれる織り地面を有することが望ましい。テクスチュア面による循環が加味されることにより、時計の通気能力はさらに向上する。
【００１０】
第１および第２の延長部分は、隔離用要素と相まって、留め金を必要とすることなく時計を手首に取り付けるように形状づけられる。一般的に、時計が手首に位置づけられているときは延長部分が外方に撓み、隔離用要素に内方圧力を加える。隔離用要素は、手首に接触したときに比較的高い摩擦特性を有する材料で作ることができる。したがって、延長部分が与える内方の圧力と隔離用要素の摩擦特性とによって、時計が大きくずれるように動くことは妨げられる。
【００１１】
本発明を発明たらしめる種々の新規な特徴および利点は、特に特許請求の範囲において明確になるであろう。しかしながら、本発明の新規な特徴および利点は、望ましい実施の態様を説明する以下の記述および図面によって、より良く理解されるであろう。
【発明を実施するための実施の形態】
【００１２】
同様の要素には同様の参照符号を付してある図面には、本発明による時計が示されている。図１ないし図４に示された時計１００は、運動の練習や競技において使用されることを意図されたスポーツウォッチである。当業者は、以下に開示される技術的思想がスポーツウォッチ以外の広い範囲の時計に適用可能であることを理解するであろう。
【００１３】
時計１００は、ケース１１０と、該ケース１１０内に配置された計時要素１２０と、リストバンド１３０と、３つの隔離用要素１４０とを備えている。概して言えば、時計１００と着用者の手首との間の主な接触点が隔離用要素１４０によって形成されるよう、種々の構成要素のそれぞれが形づくられている。図３において最も良く示されているように、手首（断面で示されている）と、ケース１１０およびリストバンド１３０を含む時計１００の他の部分との間に隔離空間２００が形成されるよう、隔離用要素１４０が位置づけられる。
【００１４】
従来の時計においては、ケースおよびリストバンドが手首のほぼ全周囲にわたって該手首と接触するようになっていた。運動やその他の活発な活動をしたり、長時間にわたって時計を着用していると、時計と手首との間に汗がたまってくる。しかしながら、隔離用要素１４０によって画成された隔離空間２００が、時計１００と手首との間の大部分の領域に自由に空気が流入するのを許容することによって、通気が行われ、時計１００と手首との間にたまる汗の量が減じられる。
【００１５】
ケース１１０は、丸形から角形にいたるまで、あらゆる実用的な形状に作ることができる。ケース１１０の主たる目的は、計時要素１２０を受け入れてこれに保護ハウジングを提供することである。したがってケース１１０は、計時要素１２０を受け入れるように形状づけられた凹所１１２を有している。計時要素１１２を保護するため、ケース１１０または計時要素１２０が透明カバー１１４を含むようにしてもよい。この透明カバー１１４は、計時要素１２０により表示された時刻を着用者および他の人に対して見せることを許容する。
【００１６】
計時要素１２０の主たる目的は時間の経過および時刻を表示することである。図３および図４において、計時要素１２０はアナログ表示部を有するものとして示されている。これとは異なり、計時要素１２０はデジタルで時間を表示するようにしてもよいし、アナログおよびデジタルの双方で時間を表示するようにしてもよい。計時要素１２０はまた、時間の経過および時刻の表示に加えてひとつ又はそれ以上の代替的機能を実施できるようにしてもよい。代替的な機能としては、たとえばストップウォッチとしての機能、着用者の心拍数をモニターする機能、歩いたり走ったりして移動した距離を計算する機能、計算機としての機能、着用者の走行速度のペースをとるための可聴信号を与える機能、周囲の大気温度を測定する機能、標高を表示する機能、全地球測位システム（ＧＰＳ）としての機能などがある。
【００１７】
リストバンド１３０は、ケース１１０と一体に形成され、ケース１１０の両側から伸長する二つの延長部分１３２を含んでいる。あるいはまた、ケース１１０およびリストバンド１３０は互いに別体として形成してもよい。延長部分１３２は、特定の領域においてより大きな曲がりを得られるように厚さが場所によって変化するものとしてもよい。たとえば、延長部分１３２はケース１１０および隔離用要素１４０に隣接した部分ではより厚く、ケース１１０および隔離用要素１４０間ではより薄くなるように設計し、延長部分１３２の中間部分で曲がりやすくなるようにしてもよい。それぞれの延長部分１３２は、手首の両側の周りを巻くことにより着用者に時計１００を取り付ける。従来の腕時計は、リストバンドの二つの延長部分を連結する留め金を有することが多かった。この時計１００もそのような留め金を備えるものとしてもよいが、図示例ではリストバンド１３０が留め金なしで手首に確実に位置づけられて保持されるように形状づけられている。留め金がなくとも、二つの半剛性の延長部分により形成されたリストバンドを用いて手首に確実に取り付けられる時計を、ここではブレスレットタイプのリストバンドを有する時計とする。米国特許第２，１８９，０９６号明細書（Ａ．Ａｌｏｎｇｅ）、同２，５５３，０８９号明細書（Ｗ．Ｒ．Ｈｏｌｄｅｒ）、同４，６２７，７３９号明細書（Ｓｈｉｎｇｏ他）、同第４，８７９，７０２号明細書（Ｇａｒｄｎｅｒ）および同第６，２１６，４９０号明細書（Ｒａｄｌｅｙ−Ｓｍｉｔｈ）がブレスレットタイプのリストバンドの例を開示している。
【００１８】
ケース１１０およびリストバンド１３０のために選択される材料は、耐久性があって、着用者が延長部１３２を広げて時計１００を手首につける作業が信頼性をもってできるようなものであるべきである。さらに、材料は、時計１００を手首に確実に位置づけて保持できるよう十分な剛性を有するものであるべきである。ケース１００およびリストバンド１３０のためにふさわしい材料には、ナイロン、ＴＰＵ、ＴＰＲ、ポリカーボネートおよびポリエステルのようなポリマーが含まれる。他のふさわしい材料としては、米国マサチューセッツ州ＰｉｔｔｓｆｉｅｌｄのＯｎｅ  Ｐｌａｓｔｉｃｓ  ＡｖｅｎｕｅにあるＧｅｎｅｒａｌ  Ｅｌｅｃｔｒｉｃ社の製造になるポリエステルとポリカーボネートとの混合物であるＸＹＬＥＸがある。ポリマー材料に加え、ケース１１０およびリストバンド１３０をステンレススチール、アルミニウム、チタニウムなどの金属で作ってもよい。
【００１９】
延長部分１３２の端部と端部との間の隙間の間隔ないし距離は、手首に時計１００を取り付けるときの容易さを決めるとき、または、手首に時計１００を取り付けた後に時計１００が確実にその位置に保持されるか否かを決めるときに考慮されるべき事項である。この間隔は、時計１００が常態の延ばされていない形態のとき、５ｍｍないし７５ｍｍの範囲とすることができるが、１２ｍｍないし５０ｍｍが好ましい。時計１００が種々の手首サイズにそれぞれ適応可能なシリーズものとして製造される場合、適用する手首サイズに応じてこの間隔を変えたそれぞれの時計を設計するようにしてもよい。たとえば、時計１００が常態の延ばされていない形態のときこの間隔は、小さいサイズの腕時計では１２．５ｍｍとし、中間サイズの腕時計では１３．２５ｍｍとし、大きなサイズの腕時計では１６．５ｍｍとすることができる。
【００２０】
隔離用要素１４０は、ケース１１０およびリストバンド１３０の、手首に隣接して沿った部分に配置される。隔離用要素１４０の主な機能は、手首と接触して時計１００と手首との間に隔離空間２００を形成することである。理解できるように、隔離空間２００は、時計１００と手首との間の領域に空気が自由に流入することを許容し、それによって、時計１００と手首との間を通気するとともにそこにたまった汗の量を減少させる。したがって、隔離用要素は、隔離空間２００が手首のほぼ全周にわたって形成されるような位置に配置されるべきである。十分な隔離空間２００を形成する一つの形態においては、図２に示すように、種々の隔離用要素１４０が配置される。すなわち、隔離用要素１４０ａは延長部分１３０ａの端部に隣接して配置されて手首の下側部分に接触し、隔離用要素１４０ｂは延長部分１３０ｂの端部に隣接して配置されてこれまた手首の下側部分に接触し、隔離用要素１４０ｃはケース１１０に配置されて手首の上側部分に接触する。隔離空間２００を形成することに加え、隔離用要素１４０は、時計の装着感を高め、ケース１１０およびリストバンド１３０が確実に手首を掴むことにより時計１００を確実に適所に位置づける役割を果たす。
【００２１】
上述した配置において、隔離用要素１４０は手首との間に３点接触を形成する。別の実施態様においては、３つよりも多いまたは少ない数の隔離用要素１４０を使用するようにしてもよい。しかしながら３点接触は、時計１００と手首との間に隔離空間２００が形成されることを確実にしながらも、時計１００と手首との間の接触総面積を３つの隔離用要素１４０の領域だけに限定することができる。たとえば、５つの隔離用要素１４０だった場合、接触面積が増し、隔離空間２００により得られる利益の一部がなくなってしまうであろう。
【００２２】
隔離用要素１４０は、ケース１１０およびリストバンド１３０と一体に形成してもよい。あるいはまた、隔離用要素１４０を、ケース１１０およびリストバンド１３０とは別に形成されて後にこれらに取り付けられる分離した要素としてもよい。図１ないし図４に示したように、隔離用要素１４０ａおよび１４０ｂは別個に形成され、延長部分１３２の端部に形成された開口１３４に取り付けられている。しかしながら隔離用要素１４０ｃは、ケース１１０と一体に形成されている。さらに、隔離用要素１４０は、手首と接触する滑らかな面を形成されていてもよいし、あるいは、一連の刻み目によって目立たないように形成されたテクスチュア面を形成されていてもよい。テクスチュア面は、隔離用要素１４０の部分と手首との間に空気が通過するのを許容する。
【００２３】
時計１００の確実な位置づけを保証するため、時計１００が装着されていない状態での隔離用要素１４０の内側の面積よりも、手首は大きな断面積を有する必要がある。このような条件のもとで、手首は時計１００が装着されたときに隔離用要素１４０ａおよび１４０ｂに外向きの力を与える。外向きの力が働くことにより、延長部分１３２は外方に撓むことになり、それによって、延長部分１３２と手首との間に隔離空間２００が作り出されて維持される。同様にして、延長部分１３０が撓むことにより隔離用要素１４０は手首に対して等しい内方の力を作用させることになる。しかしながら手首は肉体であり、内方の力に対して屈する傾向にある。したがって、隔離用要素１４０は手首内に押し込まれる傾向にあり、それによって時計１００と手首との間の隔離空間２００は減じられる。隔離用要素１４０が手首内に埋もれてしまわないように、隔離用要素１４０は、手首が内方に押される傾向があってもそれを補えるのに十分な高さを有するよう設計される。
【００２４】
隔離用要素１４０を形成する材料は、手首に接触したときに大きな変形をしないよう十分な剛性を有するべきである。さらに、隔離用要素１４０は、手首と接触したときに、特に手首が汗で湿っているときに、比較的高い摩擦特性を有する材料、たとえばシリコンのようなもの、で作られていることが有利である。
【００２５】
ここまで添付図面を参照しながら本発明を種々の望ましい実施例にわたって説明した。しかしながらこれらの望ましい実施例は例示であって、本発明をこれらに限定するものではない。当業者は、本発明の技術的思想を逸脱することなく、多くの変形例を認識することができるであろう。
【図面の簡単な説明】
【００２６】
【図１】本発明による時計の斜視図。
【図２】図１に示した時計の立面図。
【図３】図２に示した時計の立面図を、該時計をはめられた手首の断面図とともに示す図。
【図４】図１に示した時計の分解図。
【図１】
2005508683.tif 000003
【図２】
2005508683.tif 000004
【図３】
2005508683.tif 000005
【図４】
2005508683.tif 000006
【国際調査報告】
2005508683.tif 000007
2005508683.tif 000008
2005508683.tif 000009
2005508683.tif 000010
2005508683.tif 000011